(57)【特許請求の範囲】
【請求項１】
外周にソーチェーン（１１）を摺動自在に支持するガイドバー（１０）をチェーンソー本体（２０）に装着するチェーンソー（１）のガイドバー装着機構であって、
前記ガイドバーの基端部（１０Ａ）と前記ソーチェーンを駆動する駆動部（２１）を覆うと共に、前記ガイドバーの基端部を前記チェーンソー本体に圧接するガード部（３０）を備え、
前記ガード部は、
前記ガイドバーの基端部に形成された被係合部（１０Ｂ）に係合する係合部（４０Ａ）を有するチェーンテンショナー（４０）と、
前記チェーンテンショナーを前記ガイドバーの長手方向に沿って案内する案内部材（４１）と、
前記案内部材によって前記ガイドバーの長手方向に沿って案内される前記チェーンテンショナーを前記ガイドバーの先端方向に付勢する付勢部材（４２）とを備え、
前記チェーンテンショナーと前記案内部材には、前記ガード部によって前記ガイドバーの基端部が前記チェーンソー本体に圧接された状態で噛み合う噛み合い部（４０Ｐ，４１Ｐ）が形成されていること特徴とするチェーンソーのガイドバー装着機構。
【請求項２】
前記案内部材は前記ガイドバーの長手方向に沿って延在する棒状部材であって、前記チェーンテンショナーには前記案内部材が挿通される孔部（４０Ｂ）が形成され、前記チェーンテンショナーは前記案内部材に遊嵌した状態で当該案内部材に沿って移動可能であり、前記案内部材の外周面と前記孔部の内周面の両面における少なくとも一部に前記噛み合い部が形成されていることを特徴とする請求項１に記載されたチェーンソーのガイドバー装着機構。
【請求項３】
前記チェーンテンショナーと前記案内部材との間には前記噛み合い部を互いに離間させる弾性部材（４３）が介在されており、前記ガード部は前記弾性部材の弾性力に抗して前記ガイドバーの基端部を前記チェーンソー本体に圧接することを特徴とする請求項１又は２に記載されたチェーンソーのガイドバー装着機構。
【請求項４】
前記ガード部は、前記チェーンソー本体と当該ガード部とのネジ止めを手締めする締め付けノブ部（３３）を備えることを特徴とする請求項１〜３のいずれか記載されたチェーンソーのガイドバー装着機構。
【請求項５】
前記ガード部は、前記チェーンテンショナーを前記案内部材に沿って移動させるための移動操作部（４４）を備え、
該移動操作部は、前記ネジ止め位置を中心に揺動自在な揺動リンク（４５）を備え、該揺動リンクの揺動操作量に応じて前記チェーンテンショナーを移動させることを特徴とする請求項４に記載されたチェーンソーのガイドバー装着機構。
【請求項６】
前記移動操作部には、操作者の人差し指を掛ける指掛け面（４４ａ）が形成されることを特徴とする請求項５に記載されたチェーンソーのガイドバー装着機構。
【請求項７】
前記ガード部には、操作者の親指を掛ける親指掛け部（３０Ｓ）が形成されること特徴とする請求項５又は６に記載されたチェーンソーのガイドバー装着機構。
【請求項８】
前記チェーンソー本体側の前記ガイドバーの基端部が圧接される被圧接面には、前記ガイドバーの長手方向に沿って設定された角度で延設される凸部（４７Ｃ）が形成され、前記ガイドバーの基端部には、前記凸部が嵌合可能な被嵌合部（１０Ｒ）が当該ガイドバーの長手方向に沿って形成されており、前記ガード部によって前記ガイドバーの基端部が前記チェーンソー本体に圧接された際に、前記被嵌合部に前記凸部が嵌合することで、前記ガイドバーの姿勢が規制されることを特徴とする請求項１〜７のいずれかに記載されたチェーンソーのガイドバー装着機構。
【請求項９】
前記凸部は、前記チェーンソー本体の被圧接面と前記ガイドバーの基端部との間に配備される板材（４７）に形成されることを特徴とする請求項８記載に記載されたチェーンソーのガイドバー装着機構。
【請求項１０】
外周にソーチェーン（１１）を摺動自在に支持するガイドバー（１０）と、該ガイドバーが着脱自在に装着されるチェーンソー本体（２０）と、前記ガイドバーの基端部（１０Ａ）を前記チェーンソー本体に圧接するガード部（３０）を備えたチェーンソー（１）であって、
前記ガード部は、
前記ガイドバーの基端部に形成された被係合部（１０Ｂ）に係合する係合部（４０Ａ）を有するチェーンテンショナー（４０）と、
前記チェーンテンショナーを前記ガイドバーの長手方向に沿って案内する案内部材（４１）と、
前記案内部材によって前記ガイドバーの長手方向に沿って案内される前記チェーンテンショナーを前記ガイドバーの先端方向に付勢する付勢部材（４２）とを備え、
前記チェーンテンショナーと前記案内部材には、前記ガード部によって前記ガイドバーの基端部が前記チェーンソー本体に圧接された状態で噛み合う噛み合い部（４０Ｐ，４１Ｐ）が形成されていること特徴とするチェーンソー。
【発明の詳細な説明】
【技術分野】
【０００１】
本発明は、木材の伐採や切断作業等に使用されるチェーンソー或いはチェーンソーのガイドバー装着機構に関するものである。
【背景技術】
【０００２】
一般に、チェーンソーのソーチェーンを摺動自在に支持するガイドバーは、チェーンソー本体に対して着脱自在に装着され、チェーンソー本体の駆動軸に装備されるスプロケットに掛け回されたソーチェーンに必要なテンションを付与した状態でチェーンソー本体に固定される。チェーンソー本体にガイドバーを固定するには、チェーンソー本体の側方に立設されたスタッドボルトにガイドバーの基端部に形成された長孔を嵌入した後、スプロケットやガイドバーの基端部を覆うガード部の装着孔をこのスタッドボルトに嵌入させ、このガード部の外側からスタッドボルトにナットを螺合して、ナットの締め付けによりガード部をチェーンソー本体側に押し付け、ガード部とチェーンソー本体とでガイドバーの基端部を挟持して固定している。
【０００３】
また、ソーチェーンに適正なテンションを付与した状態でガイドバーを固定するには、下記特許文献１に記載されるように、バネの付勢力を利用した機構が提案されている。この従来技術は、ガイドバーをバネの付勢力でその先端側に付勢しながら、ガイドバーとチェーンソー本体とを固定するもので、前述したガード部（スプロケットガード）に、チェーンテンショナーと称する部材をガイドバーの長手方向に沿ってスライド自在に設け、このチェーンテンショナーの係合部（突起部）をガイドバーの基部に形成された孔（オイル孔等）に係合させ、このチェーンテンショナーをバネ力でガイドバーの先端方向に付勢するものであり、このチェーンテンショナーの先端部に設けられた操作部をバネ力に抗して押圧することで前述した係合部の位置を移動させて、この係合部とガイドバーに設けられる孔との係合を図るようにしている。
【先行技術文献】
【特許文献】
【０００４】
【特許文献１】特許第３１４２４３９号公報
【発明の概要】
【発明が解決しようとする課題】
【０００５】
このような従来技術では、ガイドバーとチェーンソー本体との固定状態を解除すると、バネによって自動的にガイドバーの先端側に向いた付勢力が働いて、ソーチェーンに適正なテンションを付与することが可能になる。よって、この従来技術によると、ソーチェーンのテンション付加を自動的に行うことができる利点がある。また、ガイドバーの装着時には、ガイドバーを手で保持してソーチェーンにテンションを付与しなくてもバネによる付勢が働くので、操作者はスタッドボルトに対するナットの締め付けのみに集中できる利点がある。
【０００６】
しかしながら、このような有意義な利点を有する従来技術においても、ガイドバーをチェーンソー本体に装着するには、スタッドボルトにナットを締め付ける作業が必要になり、その際には、プラグレンチ等の締め付け工具を必要とする不便さが有る。この不便さを解消するには、ナットの換わりに、締め付けノブ付きの締め付け部材をガード部に設けることが容易に考えられるが、これによると、ガイドバーをチェーンソー本体とガード部で挟持する挟持力を手締めの締め付け力で得ることになるので、強固な固定を行うことができずソーチェーンが緩みやすくなる問題がある。また、これによると、操作者の締め付け力の個人差によってガイドバーの固定状態に差が生じてしまう問題がある。
【０００７】
また、前述した従来技術では、ソーチェーンの張り状態を任意に調整しようとすると、操作部を押圧してバネ力を調整しながらボルトの締め付け作業を行わなければならず、任意の張り状態を維持してガイドバーを固定することが困難であり、実質的にソーチェーンの張り状態を任意に調整することができない問題があった。また、係合部の移動や前述したソーチェーンの張り状態の調整時には、バネ力に直接対向するように操作部を押圧する必要があるので、テンショナーを動かすのに比較的大きな力を要し、良好な操作性が得られない問題があった。
【０００８】
更に、ガイドバーは、チェーンソーの作業性を考慮して、チェーンソー本体の長手方向の軸に対してやや上方に傾斜させた状態で装着することが行われる。前述した従来技術において、このようにガイドバーの姿勢を保ちながらガイドバーをチェーンソー本体に装着しようとすると、片手でガイドバーの姿勢を保持しながら、ナットの締め付けを行わざるを得ず、これによっても良好な操作性が得られない問題があった。
【０００９】
本発明は、このような問題に対処することを課題の一例とするものである。すなわち、プラグレンチ等の工具を用いることなく、簡易にガイドバーをチェーンソー本体に装着できること、その際に、確実な固定状態が得られると共に誰が操作してもガイドバーの固定状態に差が生じないようにすること、簡易な操作でソーチェーンの張り状態を任意に調整することができること、ガイドバーの姿勢を所定の状態に保ちながら固定する際にも良好な操作性が得られること、簡易な片手での操作で、ガイドバーの姿勢を所定の状態に保ち、強固且つ安定的にガイドバーをチェーンソー本体に装着することができること、等が本発明の目的である。
【課題を解決するための手段】
【００１０】
このような目的を達成するために、本発明は、以下の各独立請求項に係る構成を少なくとも具備するものである。
【００１１】
［請求項１］外周にソーチェーンを摺動自在に支持するガイドバーをチェーンソー本体に装着するチェーンソーのガイドバー装着機構であって、前記ガイドバーの基端部と前記ソーチェーンを駆動する駆動部を覆うと共に、前記ガイドバーの基端部を前記チェーンソー本体に圧接するガード部を備え、前記ガード部は、前記ガイドバーの基端部に形成された被係合部に係合する係合部を有するチェーンテンショナーと、前記チェーンテンショナーを前記ガイドバーの長手方向に沿って案内する案内部材と、前記案内部材によって前記ガイドバーの長手方向に沿って案内される前記チェーンテンショナーを前記ガイドバーの先端方向に付勢する付勢部材とを備え、前記チェーンテンショナーと前記案内部材には、前記ガード部によって前記ガイドバーの基端部が前記チェーンソー本体に圧接された状態で噛み合う噛み合い部が形成されていること特徴とするチェーンソーのガイドバー装着機構。
【００１２】
［請求項８］外周にソーチェーンを摺動自在に支持するガイドバーと、該ガイドバーが着脱自在に装着されるチェーンソー本体と、前記ガイドバーの基端部を前記チェーンソー本体に圧接するガード部を備えたチェーンソーであって、前記ガード部は、前記ガイドバーの基端部に形成された被係合部に係合する係合部を有するチェーンテンショナーと、前記チェーンテンショナーを前記ガイドバーの長手方向に沿って案内する案内部材と、前記案内部材によって前記ガイドバーの長手方向に沿って案内される前記チェーンテンショナーを前記ガイドバーの先端方向に付勢する付勢部材とを備え、前記チェーンテンショナーと前記案内部材には、前記ガード部によって前記ガイドバーの基端部が前記チェーンソー本体に圧接された状態で噛み合う噛み合い部が形成されていること特徴とするチェーンソー。
【図面の簡単な説明】
【００１３】
【図１】本発明の一実施形態に係るチェーンソーの全体構成を示した側面図である。
【図２】本発明の実施形態におけるチェーンソーのガイドバー装着機構を説明する説明図であり、図１におけるＡ−Ａ断面図である（締め付けノブ部を緩めている状態）。
【図３】本発明の実施形態におけるチェーンソーのガイドバー装着機構を説明する説明図であり、図１におけるＡ−Ａ断面図である（締め付けノブ部を締め付けている状態）。
【図４】本発明の実施形態におけるチェーンソーのガイドバー装着機構の噛み合い部を詳細に示す拡大説明図である（同図（ａ）は噛み合い部が離間した状態、同図（ｂ）は噛み合い部が噛み合った状態）。
【図５】本発明の実施形態におけるチェーンソーのガイドバー装着機構の移動操作部を説明する説明図である。
【図６】本発明の実施形態におけるチェーンソーのガイドバー装着機構においてチェーンソー本体からガード部を取り外した状態を示す説明図（側面図）である。
【図７】ガイドバー姿勢規制板の作用を示す説明図である（同図（ａ）が平面図、同図（ｂ）が同図（ａ）のＣ−Ｃ断面図である）。
【発明を実施するための形態】
【００１４】
以下、図面を参照しながら本発明の実施形態を説明する。なお、以下の説明では各図において共通部位は同一符号を付して重複説明を一部省略する。図１は本発明の一実施形態に係るチェーンソーの全体構成を示した側面図である。チェーンソー１は、外周にソーチェーン１１を摺動自在に支持するガイドバー１０と、ガイドバー１０が着脱自在に装着されるチェーンソー本体２０と、ガイドバー１０の基端部１０Ａをチェーンソー本体２０に圧接するガード部３０を少なくとも備えている。
【００１５】
ガイドバー１０は、例えば、多数枚の板材を接合して形成され、外周部に形成される凹部にソーチェーン１１を摺動自在に支持している。ソーチェーン１１はチェーンソー本体２０における図示省略したスプロケットに巻き回され、駆動部の駆動力でガイドバー１０の外周に沿って摺動する。
【００１６】
チェーンソー本体２０は、内部に、前述したスプロケットを回転駆動するエンジン（例えば空冷式２サイクルエンジン）や燃料タンク、或いはソーチェーン潤滑オイルタンク等が装備され、上部にハンドル３１を備えている。ハンドル３１には、エンジン停止スイッチ３１Ａ、スロットルコントロールロックアウト３１Ｂ、スロットルトリガ３１Ｃ等が装備され、ハンドル３１の周囲にはエンジン始動用のリコイルスタータハンドル３１Ｄが装備されている。
【００１７】
ガード部３０は、ガイドバー１０の基端部１０Ａと前述したスプロケット等を覆うようにチェーンソー本体２０に取り付けられる構成部であって、例えば、ネジ止めによってチェーンソー本体２０に取り付けられる。より具体的には、ガード部３０には締め付けノブ部３３が設けられ、この締め付けノブ部３３をチェーンソー本体２０の側部から立設しているスタットボルト３２に螺合して手締めすることで、ガード部３０をチェーンソー本体２０に取り付けることができる（締め付けノブ部３３側がボルトで、このボルトをチェーンソー本体２０側のナット部に螺合するものであっても良い。）。
【００１８】
ガイドバー１０はその基端部１０Ａがチェーンソー本体２０とガード部３０との間に挟持され、締め付けノブ部３３を手締めで締め付けることで、ガイドバー１０がチェーンソー本体２０に固定され、締め付けノブ部３３を緩めることで、ガイドバー１０をチェーンソー本体２０から取り外すことができるようになっている。
【００１９】
図２及び図３は、チェーンソー１のガイドバー装着機構を説明する説明図であり、図１におけるＡ−Ａ断面図である。図２が締め付けノブ部３３を緩めている状態、図３が締め付けノブ部３３を締め付けている状態をそれぞれ示している。
【００２０】
チェーンソー１のガイドバー装着機構は、ガイドバー１０の基端部１０Ａとソーチェーン１１を駆動する駆動部を覆うと共に、ガイドバー１０の基端部１０Ａをチェーンソー本体２０に圧接するガード部３０を備え、ガード部３０は、ガイドバー１０の基端部１０Ａに形成された被係合部１０Ｂに係合する係合部４０Ａを有するチェーンテンショナー４０と、チェーンテンショナー４０をガイドバー１０の長手方向に沿って案内する案内部材４１と、案内部材４１によってガイドバー１０の長手方向に沿って案内されるチェーンテンショナー４０をガイドバー１０の先端方向（図示矢印Ｘ方向）に付勢する付勢部材４２とを備え、チェーンテンショナー４０と案内部材４１には、ガード部３０によってガイドバー１０の基端部１０Ａがチェーンソー本体２０に圧接された状態で噛み合う噛み合い部４０Ｐ，４１Ｐが形成されている。
【００２１】
ガイドバー１０の基端部１０Ａに形成される被係合部１０Ｂは、基端部１０Ａに形成される孔（例えば、オイル孔）によって形成することができ、チェーンテンショナー４０の係合部４０Ａは、この孔に嵌合する突起部によって形成することができる。案内部材４１はガイドバー１０の長手方向に沿って延在する棒状部材によって形成することができ、付勢部材４２は、この案内部材４１に沿って配置されるコイルバネによって形成することができる。
【００２２】
図２に示すように、締め付けノブ部３３を緩めた状態では、噛み合い部４０Ｐ，４１Ｐが離間した状態になり、チェーンテンショナー４０は案内部材４１に沿ってガイドバー１０の長手方向に沿って移動可能であり、チェーンテンショナー４０の係合部４０Ａをガイドバー１０の被係合部１０Ｂに係合することで、チェーンテンショナー４０は付勢部材４２の付勢力によってガイドバー１０をその先端方向（図示矢印Ｘ方向）に移動させ、付勢部材４２の付勢力に応じてソーチェーン（図２においては図示省略）に所定のテンションを付与することができる。
【００２３】
一方、図３に示すように、締め付けノブ部３３を締め付けた状態では、噛み合い部４０Ｐ，４１Ｐが噛み合った状態になって、チェーンテンショナー４０は案内部材４１に対して移動不能となり、チェーンテンショナー４０の係合部４０Ａをガイドバー１０の被係合部１０Ｂに係合することで、ガイドバー１０をチェーンソー本体２０（図２においては図示省略）に固定することができる。
【００２４】
図４は、前述した噛み合い部４０Ｐ，４１Ｐを詳細に示す拡大説明図である（同図（ａ）は噛み合い部４０Ｐ，４１Ｐが離間した状態、同図（ｂ）は噛み合い部４０Ｐ，４１Ｐが噛み合った状態）。チェーンテンショナー４０には案内部材４１が挿通される孔部４０Ｂが形成され、チェーンテンショナー４０は案内部材４１に遊嵌した状態では（同図（ａ）参照）案内部材４１に沿って移動可能であり、案内部材４１の外周面と孔部４０Ｂの内周面の両面における少なくとも一部に噛み合い部４０Ｐ，４１Ｐが形成されている。
【００２５】
更に具体的には、チェーンテンショナー４０の孔部４０Ｂの内周面に形成される噛み合い部４０Ｐは、チェーンテンショナー４０のガイドバー１０側（係合部４０Ａ側）にのみ形成されている。すなわち、孔部４０Ｂのガイドバー１０側反面には噛み合い部４０Ｐが形成されているが、孔部４０Ｂのガイドバー１０とは逆側（ガード部３０側）には平滑部４０Ｎが形成されている。
【００２６】
一方、案内部材４１の外周面に形成される噛み合い部４１Ｐはその外周面全体に形成され、更にチェーンテンショナー４０の摺動範囲全体に連続的に形成されている。これによって、案内部材４１の噛み合い部４１Ｐの任意に位置でチェーンテンショナー４０の噛み合い部４０Ｐを噛み合わせることで、案内部材４１の任意の位置でチェーンテンショナー４０を固定することができ、ソーチェーン１１の張り状態を任意且つほぼ無段階に調整することが可能になる。
【００２７】
また、チェーンテンショナー４０は、案内部材４１を支持するガード部３０の摺動基部３０Ａに対して案内部材４１の長手方向（図示矢印Ｘ方向）と直交する方向（図示矢印Ｙ方向）に移動可能に支持されており、間接的にチェーンテンショナー４０と案内部材４１との間には噛み合い部４０Ｐ，４１Ｐを互いに離間させる弾性部材（板バネ）４３が介在され、ガード部３０は弾性部材４３の弾性力に抗してガイドバー１０の基端部１０Ａをチェーンソー本体２０に圧接するようになっている。したがって、締め付けノブ部３３を緩めた状態では、同図（ａ）に示すように、弾性部材４３の弾性力によって強制的に噛み合い部４０Ｐ，４１Ｐが離間した状態になり、この弾性力に抗して締め付けノブ部３３を締め付けることで、同図（ｂ）に示すように、噛み合い部４０Ｐ，４１Ｐが噛み合うと共に、ガード部３０とチェーンソー本体２０との間にガイドバー１０の基端部１０Ａが挟持された状態になる。
【００２８】
また、図１及び図５に示すように、ガード部３０は、チェーンテンショナー４０を案内部材４１に沿って移動させるための移動操作部（操作レバー）４４を備えている。移動操作部（操作レバー）４４は、ネジ止め位置（スタッドボルト３２）を中心に揺動自在な揺動リンク４５を備えており、揺動リンク４５の揺動操作量に応じてチェーンテンショナー４０を移動させることができる。すなわち、チェーンテンショナー４０は揺動リンク４５に対してその長手方向に沿って摺動自在に連結されており、揺動リンク４５の揺動角度変位がチェーンテンショナー４０の案内部材４１に沿った直線移動変位に変換される機構になっている。したがって、揺動リンク４５の端部に連結される移動操作部（操作レバー）４４を円弧状の案内孔４６に沿って移動させることで、チェーンテンショナー４０を案内部材４１に沿って移動させることができる。この際、揺動リンク４５は、てこの作用（支点が回転中心、力点が移動操作部４４、作用点がチェーンテンショナー４０との連結部）を利用してチェーンテンショナー４０を移動させることになるので、付勢部材４２の付勢力に抗してチェーンテンショナー４０を移動させるに際しても比較的小さな操作力で移動操作することができる。
【００２９】
また、移動操作部（操作レバー）４４には、引き寄せ操作を安定して行えるよう凹面に形成された指掛け面４４ａが形成されており、この指掛け面４４ａに人差し指Ｆ等を掛けて移動操作することができる。この際に、ガード部３０に段差部として形成された親指掛け部３０Ｓ（図１参照）に親指を掛けて、人差し指Ｆを移動操作部（操作レバー）４４の指掛け面４４ａに掛けることで、人差し指Ｆを引き寄せる操作が安定する利点が得られる。なお、親指掛け部３０Ｓの形状は、人差し指Ｆの引き寄せ操作を安定して行うことができれば、凹部やリブ形状等、段差部以外の形状であってもよい。また、親指掛け部３０Ｓの位置は図１に示した位置に限らず、人差し指Ｆの引き寄せ操作を安定させる位置に適宜設けることができる。取り付けスペースの限られたチェーンソーにおいて、チェーンテンショナーをコンパクトに収納しながら十分な操作力を得ることは容易ではないが、前述したように、移動操作部４４の操作力は、てこの作用で比較的小さくでき、更に、操作に無理のない前述したような指掛け構造を具備させることによって、指による片手操作で簡易にチェーンテンショナー４０の位置調整を行うことが可能になる。
最も望ましい配置として、親指掛け部３０Ｓの中心は、人差し指の移動操作部（操作レバー）４４の案内孔４６よりも左側部分に形成される。これにより、てこの作用が最大限に発揮されて、軽い操作力での引き寄せ操作が可能になる。
【００３０】
図６は、チェーンソー本体２０からガード部３０を取り外した状態を示す説明図（側面図）である。ガード部３０によって覆われるチェーンソー本体２０の側部には、前述したスプロケット２１Ａを備えるソーチェーン駆動部２１が配備され、このスプロケット２１Ａに、ガイドバー１０に支持されるソーチェーン１１が巻き掛けられる。また、チェーンソー本体２０側におけるガイドバー１０の基端部１０Ａが圧接される被圧接面には、ガイドバー姿勢規制板（板材）４７が取り付けられている。ガイドバー姿勢規制板４７には、前述したスタッドボルト３２が挿通される挿通孔４７Ａとその両脇に形成される位置決め孔４７Ｂ，４７Ｂが形成されており、更に、ガイドバー１０の長手方向に沿って設定された角度で延設される凸部４７Ｃ（図７（ｂ）参照）が形成されている。ガイドバー姿勢規制板４７は、スタッドボルト３２に挿通孔４７Ａを嵌入させ、チェーンソー本体２０側の位置決めボルト３２Ｘ，３２Ｙ（図７（ａ）参照）に位置決め孔４７Ｂ，４７Ｂを嵌合させることで、チェーンソー本体２０に対して取り付け固定される。
【００３１】
図７は、ガイドバー姿勢規制板の作用を示す説明図である。同図（ａ）に示すように、ガイドバー１０の基端部１０Ａには、凸部４７Ｃが嵌合可能な被嵌合部（長孔部）１０Ｒが、ガイドバー１０の長手方向に沿って形成されている。この被嵌合部１０Ｒには、チェーンソー本体２０に装着されるスタッドボルト３２と位置決めボルト３２Ｘ、３２Ｙが隙間を有する状態で挿通される。そして、ガード部３０によってガイドバー１０の基端部１０Ａがチェーンソー本体２０に圧接された際に、被嵌合部１０Ｒに凸部４７Ｃが嵌合することで前述した隙間が埋められてガイドバー１０の姿勢が規制される（同図（ｂ）参照；同図（ｂ）は同図（ａ）のＣ−Ｃ断面図である）。
【００３２】
この際、チェーンソー本体側のスタッドボルト３２と位置決めボルト３２Ｘ，３２Ｙの配列方向及びそれ等に固定されるガイドバー姿勢規制板４７の凸部４７Ｃの延設方向（軸Ｏ２方向）は、チェーンソー本体２０の基準線方向（軸Ｏ１方向）に対して、図示矢印Ｙ方向（上向き方向）に角度θだけ傾いて設定されている。ガイドバー１０の装着時には、ガイドバー１０の基端部１０Ａに形成された被嵌合部１０Ｒがチェーンソー本体２０の側面から突出されるスタッドボルト３２と位置決めボルト３２Ｘ，３２Ｙに遊嵌されるので、ガイドバー１０を手で保持することなくチェーンソー本体２０に支持することができる。この際には、被嵌合部１０Ｒがスタッドボルト３２と位置決めボルト３２Ｘ，３２Ｙに、ガイドバー１０の先端はやや上向きの状態で遊嵌される。そして、締め付けノブ部３３の締め付けにより、ガード部３０によってガイドバー１０の基端部１０Ａがチェーンソー本体２０に圧接されると、凸部４７Ｃが被嵌合部１０Ｒ内の隙間に嵌り込み、スタッドボルト３２及び位置決めボルト３２Ａ，３２Ｙの並列方向に沿った凸部４７Ｃの延設方向に合致するように被嵌合部１０Ｒが位置決めされることになり、ガイドバー１０を前述した軸Ｏ２に向けた斜め上向きの姿勢に規制することができる。なお、前述した凸部４７Ｃはガイドバー姿勢規制板４７に設けたが、このようなガイドバー姿勢規制板４７を省いて、チェーンソー本体２０における前述した被圧接面に直接凸部を形成することも可能である。
【００３３】
このような構造を備えたチェーンソーのガイドバー装着機構における操作手順及び機能を以下に説明する。先ず、チェーンソー本体２０の被圧接面に図６に示すようにガイドバー姿勢規制板４７を装着・位置決めし、ガイドバー姿勢規制板４７に重ねるようにガイドバー１０の基端部１０Ａをチェーンソー本体２０側に取り付ける。この際、ガイドバー１０の基端部１０Ａに設けられる被嵌合部（長孔部）１０Ｒがチェーンソー本体２０側の位置決めボルト３２Ｘ，３２Ｙやスタッドボルト３２に遊嵌するので、ガイドバー１０は手で保持しなくてもガイドバー本体２０側に支持されることになる。
【００３４】
次に、スタッドボルト３２に締め付けノブ部３３を螺合させた状態で、ガード部３０の移動操作部（操作レバー）４４を操作して、チェーンテンショナー４０を摺動操作しながら、チェーンテンショナー４０の係合部４０Ａをガイドバー１０の被係合部（オイル孔）１０Ｂに係合させる。この状態で、移動操作部４４の操作を解除すると、付勢部材４２の付勢力が作用して、ガイドバー１０が先端側に押し出される。これによって常に適正な力でソーチェーン１１にテンションが付与されることになる。また、この状態では、弾性部材４３の弾性力が作用して噛み合い部４０Ｐ，４１Ｐは離間した状態になっているので（図２及び図４（ａ）参照）、案内部材４１に沿ってチェーンテンショナー４０はスムースに移動することができる。
【００３５】
次に、締め付けノブ部３３を手締めで締め付けることで、ガード部３０をチェーンソー本体２０側に圧接する。この際、ガード部３０は弾性部材４３の弾性力に抗してガイドバー１０の基端部１０Ａをチェーンソー本体２０に圧接することになる。この締め付けによって、チェーンテンショナー４０がガイドバー１０に当接してチェーンソー本体２０とは逆側に押されることになり、チェーンテンショナー４０側の噛み合い部４０Ｐと案内部材４１側の噛み合い部４１Ｐが噛み合い状態になる（図３及び図４（ｂ）参照）。これによって、チェーンテンショナー４０が案内部材４１に固定され、ガイドバー１０の長手方向（図示矢印Ｘ方向及びその逆方向）の動きが規制される。また、ガイドバー１０の基端部１０Ａがガイドバー姿勢規制板４７に圧接されて、ガイドバー姿勢規制板４７の凸部４７Ｃがガイドバー１０の被嵌合部１０Ｒの隙間に嵌ることでガイドバー１０が適正な姿勢に調整され、且つガイドバー１０の上下方向（図示矢印Ｙ方向及びその逆方向）の動きも規制される。
【００３６】
このようなチェーンソーのガイドバー装着機構によると以下の利点が得られる。ガード部３０に締め付けノブ部３３を装備することで、プラグレンチ等の工具を用いることなく、簡易にガイドバー１０をチェーンソー本体２０に装着することができる。その際に、締め付けノブ部３３の締め付け力には影響しない噛み合い部４０Ｐ，４１Ｐの噛み合い状態でガイドバー１０をチェーンソー本体２０側に固定するので、手締めによっても確実な固定状態が得られると共に、誰が操作しても一定の固定状態を実現することが可能になる。仮に締め付けが不十分であっても、噛み合い部４０Ｐ，４１Ｐの噛み合い状態が維持されている限りガイドバー１０は固定されており、ソーチェーン１１が弛むことがないので高い安全性を得ることができる。
【００３７】
また、ソーチェーン１１の張りは、付勢部材４２の付勢力で常時一定の状態になり自動的に付与される。ガード部３０の移動操作部（操作レバー）４４を操作して、チェーンテンショナー４０の係合部４０Ａをガイドバー１０の被係合部（オイル孔）１０Ｂに係合させた後、移動操作部４４の操作を解除するだけで、付勢部材４２の付勢力が作用するので、操作者はガイドバー１０を手で保持することなくソーチェーン１１に必要なテンションションを付与することができる。また、ソーチェーン１１の緩みを直す際にも、一端締め付けノブ部３３を緩めるだけで自動的に付勢部材４２が働いてソーチェーン１１を張り直すことができる。
【００３８】
更に、チェーンテンショナー４０の係合部４０Ａをガイドバー１０の被係合部１０Ｂに係合させた後、移動操作部４４を所望の位置に保持した状態で締め付けノブ部３３を締め付けると、簡易な操作でソーチェーン１１の張り状態をほぼ無段階で任意に調整することが可能になる。この際、付勢部材４２の付勢力に抗して移動操作部４４を移動させることになるが、てこの作用を利用した移動操作部４４のリンク機構によって僅かな操作力で移動操作部４４を移動又は保持することができる。また、チェーン張り時の操作者の手指をソーチェーン１１から守るガードをガード部３０に設けることで、更に安全性を高めることができる。
【００３９】
また、ガイドバー１０を手で保持することなく、単に締め付けノブ部３３を手締めで締め付けるだけで、ガイドバー１０の被嵌合部１０Ｒの隙間に自動的に凸部４７Ｃが嵌り込みガイドバー１０の姿勢が規制されるので、ガイドバー１０の姿勢を所定の状態に保ちながら固定する際にも良好な操作性が得られる。
【００４０】
基本的には、ガイドバー１０の基端部１０Ａをチェーンソー本体１０側に仮装着して、スタッドボルト３２に締め付けノブ部３３を螺合させた後は、片手操作の手締めで締め付けノブ部３３を締め付けるだけの簡易な操作で、ガイドバー１０の姿勢を所定の状態に保ち、強固且つ安定的にガイドバー１０をチェーンソー本体２０に装着することができる。
【００４１】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００４２】
１：チェーンソー，１０：ガイドバー，１０Ａ：基端部，
１０Ｂ：被係合部（オイル孔），１０Ｒ：被嵌合部（長孔部），
１１：ソーチェーン，２０：チェーンソー本体，２１：ソーチェーン駆動部，
２１Ａ：スプロケット，３０：ガード部，３０Ａ：摺動基部，
３０Ｓ：親指掛け部，
３１：ハンドル，３２：スタッドボルト，３２Ｘ，３２Ｙ：位置決めボルト，
３３：締め付けノブ部，
４０：チェーンテンショナー，４０Ａ：係合部，４０Ｂ：孔部，
４０Ｐ，４１Ｐ：噛み合い部，４１：案内部材，４２：付勢部材，
４３：弾性部材（板バネ），４４：移動操作部（操作レバー），
４５：揺動リンク，４６：案内孔，４７：ガイドバー姿勢規制板（板材），
４７Ａ：挿入孔，４７Ｂ：位置決め孔，４７Ｃ：凸部 
【図１】
0005390304.tif 000002
【図２】
0005390304.tif 000003
【図３】
0005390304.tif 000004
【図４】
0005390304.tif 000005
【図５】
0005390304.tif 000006
【図６】
0005390304.tif 000007
【図７】
0005390304.tif 000008